(57)【特許請求の範囲】
【請求項１】
電源装置、及びハードディスクドライブや冷却ファン等のモータ駆動装置を夫々主装置，副装置と少なくとも２セット具備すると共に、該電源装置或いはモータ駆動装置の異常を検出する異常検出手段と、前記装置の切換手段とを有し、
少なくとも２セット組み込まれた前記電源装置は常時並列稼働状態にあると共に、前記異常検出手段がＳＮＭＰトラップ発生機能を具備し、
前記異常検出手段は、前記装置の何れかに異常が発生したら前記切換手段を動作させて、異常の発生した装置を副装置に切り換えると共に、前記電源装置に異常が発生した場合は、正常な電源装置を副装置として異常が発生した電源装置に代わり電源供給を継続させ、
更に、前記ＳＮＭＰトラップ発生機能により外部ＳＮＭＰマネージャ等に異常発生を通知することを特徴とするセンターモデム装置。
【請求項２】
切換手段は各装置からの動作状態信号を受け、異常検出手段に出力し、該異常検出手段の判断を受けて切り換え動作をする請求項１記載のセンターモデム。
【請求項３】
切換手段は報知手段を具備し、異常が発生した際に異常箇所を報知手段により報知する請求項１又は２記載のセンターモデム。
【発明の詳細な説明】
【０００１】
【発明の属する技術分野】
本発明は、ＣＡＴＶ網を利用して双方向通信を可能とする際に、ＣＡＴＶセンター局内に設置されるセンターモデムに関する。
【０００２】
【従来の技術】
ＣＡＴＶ網を利用して双方向通信を行う場合、センター局にはセンターモデムを設置すると共に、各加入者宅にはケーブルモデムを設置し、いわゆるケーブルモデムシステムを構築することで、パーソナルコンピュータ等をケーブルモデムを介してＣＡＴＶ網に接続することが可能となり、双方向通信を実現している。そして、各ケーブルモデムやセンターモデムの管理はセンター局側に設けたケーブルモデム管理装置により行われ、このケーブルモデム管理装置が、センターモデムやケーブルモデムに対しｐｉｎｇ処理を行い、異常（故障）が発生すると、その発生箇所を特定し、報知動作するようになっている。こうすることで、管理者は異常箇所、即ち故障した箇所がセンターモデムかケーブルモデムか、ケーブルモデムの場合何れのケーブルモデムかを容易に知ることができ、修理等の処置を行いやすくしている。
【０００３】
ところが、通常１台のセンターモデムには数百台のケーブルモデムが接続されているため、センターモデムが故障すると、接続されているそれらケーブルモデムが全て通信できなくなってしまうことになり、ケーブルモデム管理装置がセンターモデムの故障を検知した場合、管理者は故障箇所の特定や修理に時間がかかるため、故障箇所を修理すること無く、予備として用意してあるセンターモデムと交換することで対応していた。
【０００４】
【発明が解決しようとする課題】
しかし、センターモデムは高価なものであるため予備として用意するには事業者にとって大きな負担であるし、センターモデムはラックに組み付けられた大型機器であるため、交換するにも手間が掛かり、復旧に或る程度の時間を要し、この間は通信サービスが中断していた。
【０００５】
そこで、本発明は上記問題点に鑑み、センターモデムが故障しても、通信サービスを中断することなく且つ容易に故障箇所の特定と復旧を可能とするセンターモデムを提供することを課題とする。
【０００６】
【発明が解決しようとする課題】
上記課題を解決するため、請求項１の発明は、電源装置、及びハードディスクドライブや冷却ファン等のモータ駆動装置を夫々主装置，副装置と少なくとも２セット具備すると共に、該電源装置或いはモータ駆動装置の異常を検出する異常検出手段と、前記装置の切換手段とを有し、少なくとも２セット組み込まれた前記電源装置は常時並列稼働状態にあると共に、前記異常検出手段がＳＮＭＰトラップ発生機能を具備し、前記異常検出手段は、前記装置の何れかに異常が発生したら前記切換手段を動作させて、異常の発生した装置を副装置に切り換えると共に、前記電源装置に異常が発生した場合は、正常な電源装置を副装置として異常が発生した電源装置に代わり電源供給を継続させ、更に、前記ＳＮＭＰトラップ発生機能により外部ＳＮＭＰマネージャ等に異常発生を通知することを特徴とする。
【０００７】
請求項２の発明は、請求項１の発明において、切換手段は、各装置からの動作状態信号を受け、異常検出手段に出力し、該異常検出手段の判断を受けて切り換え動作をすることを特徴とする。
【０００９】
請求項３の発明は、請求項１又は２の発明において、切換手段は報知手段を具備し、異常が発生した際に異常箇所を報知手段により報知することを特徴とする。
【００１１】
【発明の実施の形態】
以下、本発明を具体化した実施の形態を、図面を基に詳細に説明する。図１は本発明に係るセンターモデムの要部ブロック図を示し、夫々ボード化したＣＰＵを夫々有し、リダンダント機能を有する２つのブロックＡ，Ｂで１つのセンターモデムを構成している。双方とも１つの電源装置２（２ａ，２ｂ）と、主副２台のＨＤＤ（ハードディスクドライブ）装置３ａ，３ｂと、主２機と副１機の計３機の冷却ファン４ａ，４ａ，４ｂとを有している。
そして、夫々のブロックＡ，Ｂは後述するＲＡＳボード５が接続され、６は異常箇所を表示する表示部、８は別室に設置されているＳＮＭＰマネージャを示している。
【００１２】
図２は一方のリダンダントブロックＡを含むセンターモデムの構成を示すブロック図であり、１０はボード化された各装置を収納するラック、１１は各ボードを接続するバスラインを示し、各ボード化された装置は容易に交換が可能に形成されている。また、１３は上りのトラフィックが増えた際に対応する上り増設ボード、１４はＣＰＵボード１５からのＬＡＮデータ（イーサネット）をＣＡＴＶ用高周波信号に変換、或いはその逆に変換するＭＡＣ，変復調ボードであり、ＣＰＵボード１５はイーサネットを通じて外部ネットワークと通信可能となっている。
【００１３】
ＲＡＳボード５は切換手段であり、各装置やデバイスの動作状態を表す信号のインターフェイスを行い、監視対象となる装置やデバイスが接続され、ラック内の温度を検知する温度センサ１６からの温度信号、各ボードへ電力を供給する電源装置２ａと、他方のセンターモデムブロックＢの電源装置２ｂの双方の動作状態信号、２台の主冷却ファン４ａ，４ａと副冷却ファン４ｂの動作状態信号、そして１台の主ＨＤＤ装置３ａと副ＨＤＤ装置３ｂの動作状態信号が入力されている。動作状態信号は、例えば冷却ファンの場合、ＲＡＳの接点入力レベルを利用することができ、接点入力レベルがＬ（ローレベル）なら正常、Ｈ（ハイレベル）ならば異常と判断すればよい。
【００１４】
そして、ＣＰＵボード１５にその動作状態信号を送り、ＣＰＵからの判断情報を受け、正常か異常かの動作状態を表示部６で報知するようになっている。例えば、温度センサの正常範囲を０℃〜５５℃と設定すると、この温度の範囲を越えた場合は異常と判断し、温度異常表示をする。
【００１５】
また、ブロックＡ，Ｂ双方の電源装置２ａ，２ｂは並列稼動させてあり、双方のＲＡＳボード５が互いの２つの電源装置の動作状態を監視し、何れか一方に異常即ち故障が発生した際には他方の電源装置で双方のブロックに電力を供給する。
こうすることで、故障即ち異常が発生した電源、例えば電源装置２ａが故障したらこの電源装置２ａを主電源装置として回路から切り離す操作をするだけで、電源装置２ｂは電源装置２ａに代わり電力を供給するので、主電源装置を副電源装置に切り替える際に瞬時停電が発生することが無い。そのため、一方の電源が故障してシステムが停止することが無く、インターネット等のサービスが中断することもない。従って、ＣＡＴＶ事業者は安定した通信サービスを加入者に提供できる。
更に、故障した電源装置の交換或いは修理をセンターモデムを停止させることなく行うことができる。
尚、副の電源装置は切り換えた際に、それまで電力を供給していたブロックに対しても引き続き電力を供給するのは言うまでもない。
【００１６】
また、２機の主冷却ファン４ａの少なくとも一方が故障すると、ＲＡＳボード５は自動的に、予備のファン４ｂを稼動させる。そして、故障した主冷却ファン４ａの修理或いは交換が完了したら主冷却ファンを稼動させ、予備のファン４ｂを停止させる。
【００１７】
２台で構成されるＨＤＤ装置３ａ，３ｂは、主ＨＤＤ装置３ａに異常が発生しても、残りの副装置３ｂで連続運転を継続可能に構成され、ＲＡＳボード５が監視し、主ＨＤＤ装置３ａが故障したらシステム稼動中でも交換可能であり、交換後データは自動的に副装置３ｂから主装置３ａにコピーされ復旧する。
【００１８】
尚、ＲＡＳボード５で収集されたデバイス情報、或いは温度情報の処理等は、すべてＣＰＵボード１５が行い、動作状態の情報収集及びボードの故障検出は定期的に実行されている。そして、故障を検出した場合は、次に示す方法で報知動作を行う。
【００１９】
故障箇所の報知は、ＲＡＳボード５に設けた表示部６に、各装置に対応したＬＥＤ（発光ダイオード）を設け、例えば正常の場合は緑色、異常の場合は赤色に点灯させれば良い。また、モデム管理装置等のＳＮＭＰマネージャにＳＮＭＰトラップを発行しても良く、こうすることで、センターモデムを直接監視しなくても異常を知ることができる。
この場合、故障デバイス名を含む故障通知をするための拡張トラップを定義して行い、モデム管理装置であれば、ＳＮＭＰマネージャアプリケーション上のセンターモデムをシンボル化したアイコンの色を変化させて知らせると良い。また、ＳＹＳＬＯＧサーバに故障通知しても良い。
【００２０】
このように、比較的故障し易い電源装置、モータ駆動装置を夫々２セット設け、主装置が故障した際に自動で副装置に切り替えるので、センターモデム全体を予備機に切り換える必要が無くなり、完全復旧までの時間を短縮できるし、予備のセンターモデムを用意しておく必要も無い。また、異常発生箇所を報知するので容易に異常箇所を特定でき、ボード交換等の作業をスムーズに行うことができる。
更に、ＳＮＭＰトラップ発生機能により異常発生と同時に外部ＳＮＭＰマネージャ等に異常発生を通報することができ、別室でも異常発生を知ることができる。
【００２１】
尚、１セットしか持たないＣＰＵボード１５やＭＡＣボード１４が故障した場合の判断は、モデム管理装置から見てｐｉｎｇ応答がない場合は、ＣＰＵボード１５の故障と判断でき、この場合ＣＰＵボード１５を交換して復旧させることになるし、ＭＡＣ，変復調ボード１４が故障した場合は、配下に接続されているケーブルモデムとの通信が不能になることで判断することができ、この場合、ＭＡＣ，変復調ボード１４を交換して対応する。
また、上記実施の形態では、１個のＣＰＵボードに対して１個の電源装置としたが、電源装置を複数設けても良いし、モータ駆動装置も更に多く設けても良い。
【００２２】
【発明の効果】
以上詳述したように、請求項１，２の発明によれば、比較的故障し易い電源装置、モータ駆動装置を少なくとも２セット設け、それらが故障しても自動で予備に切り替えることができ、センターモデム全体を予備機に切り換える必要が無くなり、完全復旧までの時間を短縮できるし、予備のセンターモデムを用意しておく必要もなくなる。そのため、ＣＡＴＶ事業者は安定した通信サービスを加入者に提供できる。
【００２３】
また、主電源装置と副電源装置が並列稼働しているので、主電源装置が故障してもサービスを中断することなく副電源装置から電源供給ができる。
更に、ＳＮＭＰトラップ発生機能により異常発生と同時に外部ＳＮＭＰマネージャ等に異常発生を通報することができ、別室でも異常発生を知ることができる。
【００２４】
請求項３の発明によれば、請求項１又は２の発明の効果に加えて、異常発生箇所を報知するので容易に異常箇所を特定でき、ボード交換等の作業をスムーズに行うことができる。
【図面の簡単な説明】
【図１】本発明の実施の形態の１例を示し、センターモデムの要部ブロック図である。
【図２】図１のセンターモデムの要部ブロック図である。
【符号の説明】
２，２ａ，２ｂ・・電源装置、３ａ，３ｂ・・ハードディスクドライブ装置、４ａ，４ｂ・・冷却ファン、５・・ＲＡＳボード（切換手段）、６・・表示部、８・・ＳＮＭＰマネージャ、１５・・ＣＰＵボード（異常検出手段）。
【図１】
0004417495.tif 000002
【図２】
0004417495.tif 000003